【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
被写体を撮像して画像データを生成する撮像部と、
通信ネットワークを介してサーバと通信を行う通信部と、
前記撮像部にて生成した画像データを記憶する記憶部とを有し、
前記記憶部は、電源を切れば情報が消える第１記憶部と、電源を切っても情報が消えない第２記憶部とを有し、
前記第１記憶部に記憶されておりユーザによって指示された画像データの保存先として前記サーバを設定する処理を行う処理部を更に備えており、
前記通信部は、前記処理部により処理が施され前記第１記憶部に記憶された画像データを前記サーバに向けて送信するものであり、
前記第１記憶部は、前記記憶部のうち前記第１記憶部のみに上書きにより画像データが削除されるように画像データを記憶させ且つ前記処理部の処理に用いられるプログラムを実行するアプリケーションと、該アプリケーションと異なる画像データの送信機能を有する他のアプリケーションとがアプリケーション毎の別領域を使用することを特徴とする携帯情報端末。
【請求項２】
画像データの画像を表示させる表示部をさらに備え、
前記処理部は、画像データに基づいて、前記表示部に前記画像を表示させ、前記ユーザによって前記画像を保存する旨の指示があった場合に、前記第１記憶部に記憶された画像データを前記通信部に向けて出力する請求項１に記載の携帯情報端末。
【請求項３】
前記処理部は、所定の短時間に前記第１記憶部から画像データを削除する処理を含む請求項１または請求項２に記載の携帯情報端末。
【請求項４】
前記処理部は、前記通信部によって前記サーバに向けて前記第１記憶部に記憶された画像データが送信されるごとに、送信されたことを示すログ情報を少なくとも前記第２記憶部に残す記憶処理を行う請求項１から請求項３のいずれか１つに記載の携帯情報端末。
【請求項５】
前記処理部は、前記通信部が前記サーバと通信を行うことが可能な場合、前記撮像部を起動させる請求項１から請求項４のいずれか１つに記載の携帯情報端末。
【手続補正２】
【補正対象書類名】明細書
【補正対象項目名】発明の名称
【補正方法】変更
【補正の内容】
【発明の名称】携帯情報端末
【手続補正３】
【補正対象書類名】明細書
【補正対象項目名】０００１
【補正方法】変更
【補正の内容】
【０００１】
本発明は、被写体を撮像する撮像部と、外部装置と無線通信を行う通信部とを備える携帯情報端末等に関する。
【手続補正４】
【補正対象書類名】明細書
【補正対象項目名】０００７
【補正方法】変更
【補正の内容】
【０００７】
本開示の一態様に係る通信装置によれば、被写体を撮像して画像データを生成する撮像
部と、外部と通信を行う通信部とを有する通信装置であって、前記撮像部にて生成した画
像データの保存先として、外部装置を設定する処理部を備え、前記通信部は、前記処理部
により処理の施されたデータを、前記外部装置に向けて送信することを特徴とする。
【手続補正５】
【補正対象書類名】明細書
【補正対象項目名】０００８
【補正方法】変更
【補正の内容】
【０００８】
また、本開示の一態様に係るプログラムによれば、画像データの処理を、被写体を撮像し画像データを生成する撮像部と、外部と通信を行う通信部とを有する情報処理装置に実行させるためのプログラムであって、前記撮像部にて生成した画像データの保存先として、外部装置を設定し、処理の施されたデータを、前記外部装置に向けて送信する、ことを特徴とする。
【手続補正６】
【補正対象書類名】明細書
【補正対象項目名】０００９
【補正方法】変更
【補正の内容】
【０００９】
また、本開示の一態様に係る記録媒体によれば、画像データの処理を、被写体を撮像し画像データを生成する撮像部と、外部と通信を行う通信部とを有する情報処理装置に実行させるためのプログラムを記録した記録媒体であって、前記撮像部にて生成した画像データの保存先として、外部装置を設定し、処理の施されたデータを、前記外部装置に向けて送信する、ことを特徴とする。
【手続補正７】
【補正対象書類名】明細書
【補正対象項目名】００１３
【補正方法】変更
【補正の内容】
【００１３】
通信装置２は、無線通信モジュールとデジタルカメラとを備えた、スマートフォン等の携帯情報端末である。通信装置２は、本実施形態に係る所定のアプリケーションを起動して、デジタルカメラを用いて撮像により得られた画像データについては、自装置の一時記憶部に長期に格納することなく、サーバ１を画像データの保存先として設定してサーバ１に送信する。サーバ１は、通信装置２から受信した画像データを格納する。
【手続補正８】
【補正対象書類名】明細書
【補正対象項目名】００１６
【補正方法】変更
【補正の内容】
【００１６】
図２に示すように、通信装置２は、撮像部２１、処理部２２、通信部２３及び記憶部２４を有し、サーバ１は、サーバ通信部１１及びサーバ格納部１２を有する。図２及び以下の説明においては、本実施形態に係る画像データの保存の方法にかかわる構成のみを示すこととする。
【手続補正９】
【補正対象書類名】明細書
【補正対象項目名】００２１
【補正方法】変更
【補正の内容】
【００２１】
図２の説明に戻ると、サーバ１のサーバ通信部１１は、通信装置２等と通信を行う通信インタフェースを備え、図３に例示するような、通信装置２からの画像データ及び対応付けられた時刻情報や撮影者情報等の情報を含むデータ一式を受信する。サーバ格納部１２は、サーバ通信部１１にて受信したデータ一式を格納する。
【手続補正１０】
【補正対象書類名】明細書
【補正対象項目名】００２３
【補正方法】変更
【補正の内容】
【００２３】
まず、ステップＳ１で、ユーザが上記の所定のアプリケーションにログインする。ステップＳ２で、画像が撮影されると、ステップＳ３は画像データを記憶部２４の一時記憶部２４０に一時的に保存する。ステップＳ４で、処理部２２によりデータの保存先を外部装置に指定し、通信装置２により、通信部２３を介して図３に示すデータ一式をサーバ１に向けて送信する。このとき、一時記憶部を構成するＲＡＭ２４０はアプリケーション毎に別領域を使うので他のアプリケーション例えばＳＮＳアプリやメールアプリによってその画像データが誤送信されることはない。さらに、画像データの保存先を外部のサーバ１に指定しているので、記憶部２４の永続的保存領域例えばＲＯＭ２４１に保存されることはない。したがって画像データがＲＡＭ２４０或いはＲＯＭ２４１から誤送信されることはない。ステップＳ５にて、サーバ１においては、サーバ通信部１１を介して通信装置２から受信したデータ一式を、サーバ格納部１２に保存する。ステップＳ６で、当該アプリケーションを終了する旨の指示がユーザより入力されたか否かを判定し、アプリケーション終了指示があった場合は、処理を終了する。アプリケーション終了の指示がない場合は、ステップＳ２に戻り、上記の処理を繰り返す。なお、上記ステップＳ２の処理後に、上記ステップＳ３の処理、すなわち画像データを一時記憶部２４０に一時的に保存する処理をすることなく、ステップＳ４の処理をするようにしてもよい。
【手続補正１１】
【補正対象書類名】明細書
【補正対象項目名】００３５
【補正方法】変更
【補正の内容】
【００３５】
ところで、図１や図２に示す通信装置２は、例えば、図６に示すような情報処理装置（コンピュータ）１１０２を用いて構成することができる。図６の情報処理装置１１０２は、ＣＰＵ（中央処理装置）１００１、メモリ１００２、入力装置１００３、出力装置１００４、媒体駆動装置１００６、ネットワーク接続装置１００７を備え、それらはバス１００８により互いに接続されている。
【手続補正１２】
【補正対象書類名】明細書
【補正対象項目名】００３９
【補正方法】変更
【補正の内容】
【００３９】
ネットワーク接続装置１００７は、ＬＡＮ（local area network）、インターネット等の任意の通信ネットワークに接続され、通信に伴うデータ変換を行う。情報処理装置１１０２は、必要に応じて、上記プログラムおよびデータを外部の装置からネットワーク接続装置１００７を介して受け取り、それらをメモリ１００２にロードして使用する。
【手続補正１３】
【補正対象書類名】明細書
【補正対象項目名】００４０
【補正方法】変更
【補正の内容】
【００４０】
図７は図６の情報処理装置１１０２にプログラムおよびデータを供給することのできるコンピュータ読み取り可能な記録媒体を示している。可搬記録媒体１００９やサーバ装置１１０１のデータベース１１０３に格納されたプログラムおよびデータは、情報処理装置１１０２のメモリ１００２にロードされる。サーバ装置１１０１は、そのプログラムおよびデータを搬送する搬送信号を生成し、ネットワーク上の任意の伝送媒体を介して情報処理装置１１０２に送信する。ＣＰＵ１００１は、そのデータを用いてそのプログラムを実行し、必要な処理を行う。
【手続補正１４】
【補正対象書類名】明細書
【補正対象項目名】００７３
【補正方法】変更
【補正の内容】
【００７３】
１      サーバ
２      通信装置
１１    サーバ通信部
１２    サーバ格納部
２１    撮像部
２２    処理部
２３    通信部
２３０  通信制御部
２４０  一時記憶部（揮発性ＲＡＭ）
２４１  不揮発性ＲＯＭ
１００  システム
【手続補正１５】
【補正対象書類名】図面
【補正対象項目名】図２
【補正方法】変更
【補正の内容】
【図２】
2018125857.tif 000001
【手続補正１６】
【補正対象書類名】図面
【補正対象項目名】図６
【補正方法】変更
【補正の内容】
【図６】
2018125857.tif 000002
【手続補正１７】
【補正対象書類名】図面
【補正対象項目名】図７
【補正方法】変更
【補正の内容】
【図７】
2018125857.tif 000003